(57)【要約】【課題】  ロボットによって振られた旗が支持棒に絡みつくのを防止することができる、ロボット用の旗を提供する。【解決手段】  旗２は、布地からなる旗部分５と、その旗部分５の一辺を支持するとともにロボット１の手１ａに保持される支持棒６とからなる。そして、旗部分５には、その旗部分５が支持棒６に絡みつくのを避けるべく、骨部材７が設けられている。この骨部材７は、旗部分５における支持棒６から延びる第１および第２の辺５ａ、５ｂの各辺に沿って配備される。【選択図】  図１
2005148082.tif 000002
【特許請求の範囲】
【請求項１】
ロボットの手によって振られる旗であって、
旗部分と、その旗部分の一辺を支持するとともに前記ロボットの手に保持される支持棒とを備え、
前記旗部分には、その旗部分が前記支持棒に絡みつくのを避けるべく、骨部材が設けられていることを特徴とする、ロボット用の旗。
【請求項２】
前記骨部材は、湾曲可能で、かつ、その湾曲に抗する弾力を有することを特徴とする請求項１に記載の、ロボット用の旗。
【請求項３】
前記骨部材は、その一端が、前記支持棒に固定されていることを特徴とする請求項１または２に記載の、ロボット用の旗。
【請求項４】
前記骨部材は、その一端が、前記支持棒に固定され、先端側が、前記一端の側となる基端側に比して細く形成されていることを特徴とする請求項２に記載の、ロボット用の旗。
【請求項５】
前記骨部材は、前記旗部分における前記支持棒から延びる第１および第２の辺の各辺に沿って配備されていることを特徴とする請求項３または４に記載の、ロボット用の旗。
【請求項６】
前記各骨部材の、前記支持棒から延出する延出長さは、前記各骨部材に対応する前記第１および第２の辺の長さの１／３〜２／３の長さであることを特徴とする請求項５に記載の、ロボット用の旗。
【請求項７】
前記骨部材は、前記旗部分における前記支持棒から延びる第１および第２の辺のいずれか一方の辺のみに沿って配備されていることを特徴とする請求項３または４に記載の、ロボット用の旗。
【請求項８】
前記骨部材の、前記支持棒から延出する延出長さは、前記骨部材に対応する前記第１および第２の辺のいずれか一方の辺の長さの１／２〜２／２の長さであることを特徴とする請求項７に記載の、ロボット用の旗。
【請求項９】
請求項１ないし８に記載の旗と、その旗を持つ前記ロボットとからなる、ロボット装置。
【発明の詳細な説明】
【技術分野】
【０００１】
この発明は、ロボットによって振られるロボット用の旗、およびその旗を持つロボット装置に関するものである。
【背景技術】
【０００２】
従来、例えば、道路の工事現場等において、通行車両に注意を促すために、ガードマンの装いをした旗振りロボットを用いることがあった。このロボットは、一方の手が、旗の支持棒の柄を握り、そして、腕を上下あるいは前後に動かすようにして、前記旗を振っていた。
【発明の開示】
【発明が解決しようとする課題】
【０００３】
ところで、前記従来のロボットにおいては、そのロボットが旗を振っていると、旗の支持棒に、旗部分としての布地が絡みついたまま広がらなくなってしまうことがあった。このように、旗の布地が絡みついたままの状態になると、通行車両に注意を促すことの妨げとなり、問題となる虞があった。
【０００４】
この発明は、上記した従来の欠点を解決するためになされたものであり、その目的とするところは、ロボットによって振られた旗が支持棒に絡みつくのを防止することができる、ロボット用の旗、およびその旗を持つロボット装置を提供することにある。
【課題を解決するための手段】
【０００５】
この発明に係るロボット用の旗およびロボット装置は、前記目的を達成するために、次の構成からなる。すなわち、
請求項１に記載の発明に係るロボット用の旗は、ロボットの手によって振られる旗であって、旗部分と、その旗部分の一辺を支持するとともに前記ロボットの手に保持される支持棒とを備える。そして、前記旗部分には、その旗部分が前記支持棒に絡みつくのを避けるべく、骨部材が設けられている。こうして、この旗は、その旗部分に設けられた骨部材により、旗部分が広がった状態を維持しようとし、その旗部分が支持棒に絡みつくのが防止される。
【０００６】
また、請求項２に記載の発明に係るロボット用の旗のように、請求項１に記載の旗において、前記骨部材は、湾曲可能で、かつ、その湾曲に抗する弾力を有してもよい。こうして、骨部材が、湾曲可能で、かつ、その湾曲に抗する弾力を有することから、支持棒への旗部分の絡みつき防止を損なうことなく、旗部分のなびきを自然に近い状態に保つことができる。
【０００７】
また、請求項３に記載の発明に係るロボット用の旗のように、請求項１または２に記載の旗において、前記骨部材は、その一端が、前記支持棒に固定されるのが望ましい。これにより、支持棒への旗部分の絡みつきを確実に防止することが可能となる。
【０００８】
また、請求項４に記載の発明に係るロボット用の旗のように、請求項２に記載の旗において、前記骨部材は、その一端が、前記支持棒に固定され、先端側が、前記一端の側となる基端側に比して細く形成されてもよい。こうして、支持棒に固定された骨部材が、その先端側が基端側すなわち支持棒側に比して細く形成されることから、旗部分のなびきをより一層自然に近い状態に保つことができる。
【０００９】
また、請求項５に記載の発明に係るロボット用の旗のように、請求項３または４に記載の旗において、前記骨部材は、前記旗部分における前記支持棒から延びる第１および第２の辺の各辺に沿って配備されてもよい。
【００１０】
また、請求項６に記載の発明に係るロボット用の旗のように、請求項５に記載の旗において、前記各骨部材の、前記支持棒から延出する延出長さは、前記各骨部材に対応する前記第１および第２の辺の長さの１／３〜２／３の長さであってもよい。これにより、支持棒への旗部分の絡みつき防止を損なうことなく、旗部分のなびきを自然に近い状態に保つことができる。
【００１１】
また、請求項７に記載の発明に係るロボット用の旗のように、請求項３または４に記載の旗において、前記骨部材は、前記旗部分における前記支持棒から延びる第１および第２の辺のいずれか一方の辺のみに沿って配備されてもよい。
【００１２】
また、請求項８に記載の発明に係るロボット用の旗のように、請求項７に記載の旗において、前記骨部材の、前記支持棒から延出する延出長さは、前記骨部材に対応する前記第１および第２の辺のいずれか一方の辺の長さの１／２〜２／２の長さであってもよい。これにより、支持棒への旗部分の絡みつき防止を損なうことなく、旗部分のなびきを自然に近い状態に保つことができる。
【００１３】
また、請求項９に記載の発明に係るロボット装置は、請求項１ないし８に記載の旗と、その旗を持つ前記ロボットとからなる。
【発明の効果】
【００１４】
以上、詳述したところから明らかなように、この発明に係るロボット用の旗およびロボット装置によれば、旗部分に設けられた骨部材により、旗部分が広がった状態を維持しようとするため、ロボットによって振られた旗が支持棒に絡みつくのを防止することができる。
【発明を実施するための最良の形態】
【００１５】
以下、この発明に係るロボット用の旗およびロボット装置を実施するための最良の形態を図面に基づいて説明する。
【００１６】
図１ないし図３は、本発明の一実施の形態を示す。図中符号１は、ロボット、特に、交通誘導用に用いられるロボットである。２は、前記ロボット１の手１ａによって振られる旗（特に、交通誘導用の旗）である。３は、ロボット装置であって、前記旗２と、その旗２を持つ前記ロボット１とからなる。
【００１７】
ここで、ロボット１は、人の姿を模した（詳細には、立体的に模した）人型ロボットである。特に、このロボット１は、旗２を用いて、通行車両とか通行人等の通行対象に、通行に対する注意を促す、ガードマンの装いをしたガードマンロボットとなっている。そして、ロボット１には、ヘルメット１ｂが着脱可能に装着されている。このロボット１は、内部に、例えば電気によって駆動する駆動装置（図示せず）を備えている。そして、この駆動装置により、一方の手１ａが、腕１ｃとともに、上下あるいは前後に遥動するようになっている。そして、このロボット１は、スタンド４により、起立状態に保持される。
【００１８】
旗２は、旗部分５と、その旗部分５の一辺を支持するとともに前記ロボット１の手１ａに保持される支持棒６とを備えている。そして、旗部分５には、その旗部分５が支持棒６に絡みつくのを避けるべく、骨部材７が設けられている。
【００１９】
詳細には、旗部分５は、合成樹脂製あるいは布製等の、布地またはシート地等からなる。この旗部分５は、長方形形状をしており、その一辺が、前記支持棒６に巻き付けられて止められている。そして、旗部分５は、支持棒６から延びる第１の辺５ａおよび第２の辺５ｂにおいて、前記布地またはシート地等が巻かれるようにして、袋部５ｃが形成されている。なお、図示実施の形態においては、便宜的に、第１の辺５ａを、支持棒６の後述する柄部６ａから離れた側の辺とし、第２の辺５ｂを、柄部６ａに近い側の辺としている。
【００２０】
支持棒６は、例えば合成樹脂製あるいは木製であって、特に、図示実施の形態においては、断面円形形状をしている。そして、支持棒６は、その一方側で、旗部分５を支持し、他方側が、旗部分５から突出して、ロボット１が握る柄部６ａとなっている。また、支持棒６には、旗部分５における袋部５ｃ、５ｃと対向するようにして、孔６ｂ、６ｂが明けられている。
【００２１】
骨部材７は、例えば、合成樹脂製とか金属製等の線材からなる。そして、骨部材７は、湾曲可能で、かつ、その湾曲に抗する弾力を有している。すなわち、骨部材７は、しなうことが可能な材料からなる。
【００２２】
また、骨部材７は、その一端が、支持棒６に固定されている。図示実施の形態においては、骨部材７は、その一端が、支持棒６に明けられた孔６ｂに挿入されて（例えば、圧入されて）止められる。
【００２３】
そして、骨部材７は、旗部分５における支持棒６から延びる第１および第２の辺５ａ、５ｂの各辺に沿って配備される。すなわち、骨部材７は、旗部分５における前記袋部５ｃに挿入される。そして、骨部材７の一端が、支持棒６の孔６ｂに挿入される。ここにおいて、各骨部材７の、支持棒６から延出する延出長さは、各骨部材７に対応する前記第１および第２の辺５ａ、５ｂの長さの１／３〜２／３の長さ（図示実施の形態においては、１／２程度の長さ）となる。
【００２４】
次に、以上の構成からなるロボット用の旗２、およびロボット装置３の作用効果について説明する。この旗２は、その旗部分５に設けられた骨部材７により、旗部分５が広がった状態を維持しようとするため、ロボット１によって振られた旗２の旗部分５が支持棒６に絡みつくのを防止することができる。このとき、骨部材７が、湾曲可能で、かつ、その湾曲に抗する弾力を有することから、すなわち、しなうことができることから、支持棒６への旗部分５の絡みつき防止を損なうことなく、旗部分５のなびきを自然に近い状態に保つことができる。
【００２５】
また、骨部材７は、その一端が、支持棒６に固定されており、このことによって、支持棒６への旗部分５の絡みつきを確実に防止することが可能となる。その上、各骨部材７の、支持棒６から延出する延出長さは、各骨部材７に対応する前記第１および第２の辺５ａ、５ｂの長さの１／３〜２／３の長さとなっており、支持棒６への旗部分５の絡みつき防止を損なうことなく、旗部分５のなびきをより自然に近い状態に保つことができる。
【００２６】
なお、本発明は、上述した実施の形態に限定されるわけではなく、その他種々の変更が可能である。例えば、骨部材７は、旗部分５における支持棒６から延びる第１および第２の辺５ａ、５ｂの各辺に沿って配備されなくとも、前記第１および第２の辺５ａ、５ｂのいずれか一方の辺のみに沿って配備されてもよい。このとき、骨部材７の、支持棒６から延出する延出長さは、骨部材７に対応する前記第１および第２の辺５ａ、５ｂのいずれか一方の辺の長さの１／２〜２／２の長さであるのが好ましい。こうすることで、支持棒６への旗部分５の絡みつき防止を損なうことなく、旗部分５のなびきをより自然に近い状態に保つことができる。
【００２７】
また、骨部材７は、断面一定でなくとも、例えば、先端側が、支持棒６に固定された一端の側となる基端側に比して、細く形成されてもよい。こうすることで、旗部分５のなびきをより一層自然に近い状態に保つことができる。
【００２８】
また、この骨部材７は、旗部分５における第１の辺５ａあるいは第２の辺５ｂに沿って配備されているが、それら第１の辺５ａと第２の辺５ｂとの中間部分に配備されてもよい。そして、骨部材７は、その一端が、支持棒６の孔６ｂに圧入されるようにして固定されているが、その他の方法で固定されてもよい。もっとも、骨部材７が、支持棒６に固定されなくとも構わない。また、骨部材７の長さは、上述の実施の形態に示す長さに限定されるものではなく、旗部分５が支持棒６に絡みつくのを避けることができるのであれば、どのような長さであってもよい。
【００２９】
また、旗２は、その旗部分５が、長方形形状となっているが、三角形状等、その他の形状となっていてもよい。
【図面の簡単な説明】
【００３０】
【図１】この発明の一実施の形態の、ロボット装置を示す側面図である。
【図２】同じく、旗の正面図である。
【図３】同じく、図２におけるＡ−Ａ線による拡大断面図である。
【符号の説明】
【００３１】
１  ロボット
１ａ  手
２  旗
３  ロボット装置
５  旗部分
５ａ  第１の辺
５ｂ  第２の辺
６  支持棒
７  骨部材
【図１】
2005148082.tif 000003
【図２】
2005148082.tif 000004
【図３】
2005148082.tif 000005